(57)【要約】  【課題】コネクタブロック内への異物の侵入を防いで、コネクタブロック内の音叉状端子の破損を防止し、電気接続の信頼性を向上させる。  【解決手段】コネクタブロック２０の前後外壁に一定ピッチで設けられた縦バスバー挿通用のスリット２３を開閉するシャッター蓋２４をコネクタブロック２０に摺動可能に取り付ける。シャッター蓋２４は空隙部２５ａと閉鎖部２５ｂとを交互に設けた櫛歯状の両側部２５と、該両側部２５の一端を連結する連結部２６を備え、閉鎖部２５ｂでコネクタブロック２０のスリット２３を閉鎖する位置に取り付け、コネクタブロック２０をアッパーケース１１のコネクタ収容部１２に嵌合する時に、シャッター蓋２４を移動させて空隙部２５ａとスリット２３とを一致させて、縦バスバー４０をスリット２３に挿通できる構成としている。  【選択図】図７
2005080460.tif 000002
【特許請求の範囲】
【請求項１】
ケース内部に長尺な直線状の縦バスバーが並列状態で収容され、該縦バスバーの並列方向に延在するコネクタ収容部が上記ケースに設けられている一方、該コネクタ収容部に嵌合されるコネクタブロックの各端子収容室内には電線端末に接続された音叉状端子が挿入係止され、該コネクタブロックを上記コネクタ収容部に嵌合すると上記音叉状端子が上記縦バスバーに嵌合する構成としている電気接続箱において、
上記コネクタブロックの両側壁に一定ピッチで設けられた縦バスバー挿通用のスリットを開閉するシャッター蓋を設け、
上記シャッター蓋は空隙部と閉鎖部とを交互に設けた櫛歯状の両側部と、該両側部の一端を連結する連結部を備え、
上記シャッター蓋が上記コネクタブロックのスリットを設けた部分に、該スリットを上記閉鎖部で閉鎖した状態で移動可能に取り付けられ、
上記コネクタブロックを上記ケースのコネクタ収容部に嵌合する時に、上記シャッター蓋を移動させて上記空隙部と上記スリットとを一致させて、上記縦バスバーを上記スリットに挿通できる構成としていることを特徴とする電気接続箱。
【請求項２】
上記シャッター蓋の櫛歯状の両側部は、上記コネクタブロックのスリットを設けた両側壁の内部あるいは外部に摺接可能に接触させていると共に上記連結部は外面に露出させて上記コネクタブロックに仮係止して取り付け、該コネクタブロックを上記コネクタ収容部に内嵌すると、該コネクタ収容部内に突設した傾斜リブで上記連結部を押圧して、上記シャッター蓋を所要寸法移動させる構成としている請求項１に記載の電気接続箱。
【発明の詳細な説明】
【技術分野】
【０００１】
本発明は、電気接続箱に関し、詳しくは、ケース内部の縦バスバーとコネクタブロック内部の音叉状端子を嵌合するものであって、該嵌合までの音叉状端子の保護を図るものである。
【背景技術】
【０００２】
従来、自動車等の回路配線において分岐回路をジョイントする電気接続箱（分岐接続箱）として、特開昭５７−８５５１４号において、図１２（Ａ）に示す電気接続箱１が提供されている。該電気接続箱１は、そのケース２の内部に長尺な直線状の縦バスバー３が並列状態で収容され、該縦バスバー３の並列方向に延在するコネクタ収容部２ａに嵌合されるコネクタブロック４の各端子収容室内には電線端末に接続された音叉状端子５が挿入係止され、該コネクタブロック４をコネクタ収容部２ａに嵌合すると音叉状端子５が縦バスバー３に嵌合される構成としている。ケース２のコネクタ収容部２ａに嵌合されるコネクタブロック４の幅広側の両側壁には、図１２（Ｂ）に示すように、その内部に収容係止した音叉状端子５の圧接スロット５ａに対応する位置に縦バスバー３を挿通するためのスリット４ａが一定間隔をあけて設けられている。
【０００３】
しかしながら、コネクタブロック４には外方に開口するスリット４ａが設けられているため、コネクタブロック４を電気接続箱のケース２のコネクタ収容部２ａに嵌合するまでの間に、コネクタブロック４内にスリット４ａを通して電線等の異物が入り込みやすく、該異物が音叉状端子５を変形破損させるおそれがある。該音叉状端子５が破損すると、縦バスバー３に音叉状端子５を嵌合できなかったり、嵌合できても接触不良を起こす等の問題がある。さらに、異物が混入した状態のままであると縦バスバーにも損傷を発生させる恐れがある。
【特許文献１】特開昭５７−８５５１４号公報
【発明の開示】
【発明が解決しようとする課題】
【０００４】
本発明は上記問題に鑑みてなされたものであり、コネクタブロックを電気接続箱のコネクタ収容部に嵌合するまでの間、上記スリットを通してコネクタブロック内への異物の侵入を防ぎ、コネクタブロック内の音叉状端子の破損を防止し、電気接続の信頼性を向上させることを課題としている。
【課題を解決するための手段】
【０００５】
上記課題を解決するため、本発明は、ケース内部に長尺な直線状の縦バスバーが並列状態で収容され、該縦バスバーの並列方向に延在するコネクタ収容部が上記ケースに設けられている一方、該コネクタ収容部に嵌合されるコネクタブロックの各端子収容室内には電線端末に接続された音叉状端子が挿入係止され、該コネクタブロックを上記コネクタ収容部に嵌合すると上記音叉状端子が上記縦バスバーに嵌合する構成としている電気接続箱において、
上記コネクタブロックの両側壁に一定ピッチで設けられた縦バスバー挿通用のスリットを開閉するシャッター蓋を設け、
上記シャッター蓋は空隙部と閉鎖部とを交互に設けた櫛歯状の両側部と、該両側部の一端を連結する連結部を備え、
上記シャッター蓋が上記コネクタブロックのスリットを設けた部分に、該スリットを上記閉鎖部で閉鎖した状態で移動可能に取り付けられ、
上記コネクタブロックを上記ケースのコネクタ収容部に嵌合する時に、上記シャッター蓋を移動させて上記空隙部と上記スリットとを一致させて、上記縦バスバーを上記スリットに挿通できる構成としていることを特徴とする電気接続箱を提供している。
【０００６】
上記構成とすると、コネクタブロックを電気接続箱のケースのコネクタ収容部に嵌合するまでの間は、コネクタブロックのスリットをシャッター蓋の閉鎖部により閉鎖しているため、コネクタブロック内への電線等の異物の侵入を防いで、コネクタブロック内の音叉状端子の破損を防止し、電気接続の信頼性を向上させることができる。
また、コネクタブロックに取り付けているシャッター蓋は、コネクタブロックをコネクタ収容部に嵌合する際に移動して、コネクタブロックのスリットの閉鎖が解かれるため、コネクタブロックにシャッター蓋を取り付けた状態で、コネクタブロックをケースのコネクタ収容部に嵌合させることができる。よって、嵌合の際にシャッター蓋をコネクタブロックから取り外す必要がない。
【０００７】
上記シャッター蓋の櫛歯状の両側部は、上記コネクタブロックのスリットを設けた両側壁の内部あるいは外部に摺接可能に接触させていると共に上記連結部は外面に露出させて上記コネクタブロックに仮係止して取り付け、該コネクタブロックを上記コネクタ収容部に内嵌すると、該コネクタ収容部内に突設した傾斜リブで上記連結部を押圧して、上記シャッター蓋を所要寸法移動させる構成としていることが好ましい。
【０００８】
上記構成とすると、コネクタブロックをケースのコネクタ収容部に嵌合すると同時にコネクタブロックに取り付けたシャッター蓋がコネクタ収容部内の傾斜リブにより押圧されて所要寸法だけ自動的に移動し、コネクタブロックのスリットの閉鎖が解かれる。これにより、作業員が自らシャッター蓋を移動させる必要がなく、コネクタブロックをケースのコネクタ収容部に容易に嵌合することができる。
【発明の効果】
【０００９】
以上の説明より明らかなように、本発明によれば、コネクタブロックをケースのコネクタ収容部に嵌合するまでの間は、コネクタブロック内の音叉状端子が露出されるコネクタブロックのスリットをシャッター蓋の閉鎖部により閉鎖しているため、コネクタブロック内への電線等の異物の侵入を防いで、コネクタブロック内の音叉状端子の破損を防止し、電気接続の信頼性を向上させることができる。
また、コネクタブロックに取り付けているシャッター蓋は、コネクタブロックをケースのコネクタ収容部に嵌合する際に移動して、コネクタブロックのスリットの閉鎖が解かれるため、コネクタブロックにシャッター蓋を取り付けた状態で、コネクタブロックをケースのコネクタ収容部に嵌合させることができ、嵌合の際にシャッター蓋をコネクタブロックから取り外す必要がない。
【００１０】
さらに、シャッター蓋を仮係止したコネクタブロックをコネクタ収容部に内嵌すると、該コネクタ収容部内に突設した傾斜リブでシャッター蓋を押圧して所要寸法移動させる構成とすると、コネクタブロックをケースのコネクタ収容部に嵌合すると同時に、コネクタブロックのスリットの自動的に閉鎖が解かれ、作業員が自らシャッター蓋を移動させる必要がなく、コネクタブロックをコネクタ収容部に容易に嵌合することができる。
【発明を実施するための最良の形態】
【００１１】
本発明の実施形態を図面を参照して説明する。
図１乃至図８は、本発明の第１実施形態を示す。
電気接続箱１０は、図１（Ａ）に示すアッパーケース１１のコネクタ収容部１２にコネクタブロック２０を嵌合することにより、図１（Ｂ）に示すように、アッパーケース１１とロアケース１３からなるケース内に収容している縦バスバー４０に、コネクタブロック２０に挿入係止した電線端末の音叉状端子３０が上方より嵌合して、縦バスバー４０と電線ｗとを音叉状端子３０を介して電気接続するものである。
なお、図１（Ａ）中の１４はベースモジュール、１５はヒューズ・リレーモジュール、１６はＥＣＵケースである。
【００１２】
コネクタブロック２０は、図２および図３に示す形状とし、端子収容室２２を隔壁２０ａを介して並設し、各端子収容室２２には上面に開口した端子挿入口２２ａより電線端末に接続された音叉状端子３０を挿入係止できる構成としている。コネクタブロック２０の前後両側壁２０ｂの下部には、前後両側で対向させると共に直交する長さ方向に一定ピッチでスリット２３を下端より切り込んだ状態で設けている。これらスリット２３は各端子収容室２２の略中央部に位置させている。
【００１３】
コネクタブロック２０はコネクタ収容部１２に嵌合した状態で、ケース１１の内部に平行に収容している縦バスバー４０の並列方向に上記端子収容室２２を設けており、よって、前後対向するスリット２３にそれぞれ縦バスバー４０を貫通できる配置としている。前後一対のスリット２３に縦バスバー４０を貫通させた状態で、該縦バスバー４０の上部に音叉状端子３０の圧接部が嵌合して嵌合接続されることとなる。
【００１４】
コネクタブロック２０の図中右側壁２０ｄには、図３（Ｃ）に示すように、前後両側に下端から切り欠いたシャッター蓋挿通用のスリット２０ｅを設けている。前後両側壁２０ｂと連結する上記隔壁２０ａの下部を切り欠いて前後一対の空隙Ｓを設け、該空隙Ｓにシャッター蓋２４の両側部２５を挿入させている。コネクタブロック２０のスリット２３を設けていない前後両側壁２０ｂには、その下端より蓋支持壁２０ｆを突出させているため、空隙Ｓに挿入したシャッター蓋２４は蓋支持壁２０ｆにより空隙Ｓ内に、前後両側壁２０ｂの内面に慴接できる状態で保持される。
【００１５】
シャッター蓋２４を挿入する側、即ち、図中右側壁２０ｄ側の前後両側壁２０ｂの内面には、図３（Ｅ）に示すように、前後対向する位置にシャッター蓋２４を係止する仮係止溝２０ｇと本係止溝２０ｈを設けている。仮係止溝２０ｇは右側壁２０ｄよりも外側に設け、仮係止溝２０ｇから所要間隔をあけて内側に本係止溝２０ｈを設けている。また、前後側壁２０ｂの一側外面には、コネクタブロック２０をコネクタ収容部１２内に固定するためのロック部２０ｉを設けている。
【００１６】
コネクタブロック２０に取り付けるシャッター蓋２４は、図４（Ａ）に示すように、長尺な両側部２５と該両側部２５の一端を連結する連結部２６を備え、両側部２５は下端から切り欠いた空隙部２５ａと閉鎖部２５ｂとを交互に設けた櫛歯状とし、連結部２６を両側部２５側に下方傾斜させている。また、両側部２５の連結部２６近傍の上端には外方へ突出する突起２５ｃを設けている。
シャッター蓋２４の両側部２５をコネクタブロック２０の前後一対の上記空隙Ｓに挿入し、突起２５ｃを仮係止溝２０ｇに仮係止すると、閉鎖部２５ｂがコネクタブロック２０のスリット２３に対向する位置に配置されて、スリット２３を閉鎖する。一方、シャッター蓋２４の連結部２６を押圧して空隙Ｓ内に押し込み、突起２５ｃを本係止溝２０ｈに係止すると、シャッター蓋２４の空隙部２５ａとスリット２３が一致してスリット２３が開いた状態となる。
【００１７】
コネクタブロック２０の端子収容室２２ａに収容する音叉状端子３０は、図５に示すように、その先端側に箱状の端子部３１を備え、該端子部３１の前後両側壁３２に縦バスバー挿通用のスリット３３を先端から切り欠いて設けていると共に、左右両側壁３４の先端を内側に山状に折り返して縦バスバー４０に圧接可能な圧接部３５を設けている。また、音叉状端子３０の後端側には、芯線圧着バレル３６と絶縁被覆圧着バレル３７からなる電線圧着部３８を設けている。
【００１８】
音叉状端子３０の電線圧着部３８に電線ｗを圧着し、音叉状端子３０をコネクタブロック２０の端子収容室２２に端子部３１を下端側として挿入係止すると、圧接部３５と上記スリット２３とが前後同一線上に位置し、圧接部３５はスリット２３を通して外部に露出されている。
よって、スリット２３がシャッター蓋２４の両側部２５の閉鎖部２５ｂで閉鎖されると、音叉状端子３０の圧接部３５は隠れた状態となり、外部からの電線等の異物が端子部３１内に入り込むことが防止できる。
なお、コネクタブロック２０の端子収容室２２に音叉状端子３０を嵌合する前に、シャッター蓋２４を取り付けてもよいし、後から取り付けてもよい。
【００１９】
アッパーケース１１とロアケース１３からなるケース内部には、図１（Ａ）（Ｂ）に示すように、前記したように、Ｘ方向の長尺な直線状の縦バスバー４０がＹ方向に並列状態で収容され、アッパーケース１１の上面には、図１（Ａ）に示すように、縦バスバー４０の並列方向、即ちＹ方向に延在する複数のコネクタ収容部１２を設けている。該コネクタ収容部１２の内面には、図６に示すように、嵌合するコネクタブロック２０に取り付けたシャッター蓋２４の連結部２６側に、下方傾斜する前後一対の傾斜リブ１２ａを突設すると共に、コネクタブロック２０のロック部２０ｉにロック結合する被ロック部１２ｂを設けている。
なお、傾斜リブ１２ａは前後一対に限らず、中央に１つ若しくは３つとしてもよい。
【００２０】
つぎに、シャター蓋２４の開閉作動について説明する。
図７（Ａ）に示すように、コネクタブロック２０の端子収容室２２に電線ｗの端末に接続した音叉状端子３０を収容すると共に、シャッター蓋２４を仮係止状態で取り付ける。この状態で前記したようにスリット２３はシャッター蓋２４の閉鎖部２５ｂで閉鎖されている。
図７（Ｂ）（Ｃ）に示すように、コネクタブロック２０をケース１１のコネクタ収容部１２に挿入していくと、コネクタ収容部１２内の傾斜リブ１２ａが仮係止状態のシャッター蓋２４の連結部２６を押圧する。上記のように、シャッター蓋２４の連結部２６は両側部２５側に下方傾斜させて傾斜リブ１２ａと略同一方向に傾斜させているため、コネクタブロック２０をコネクタ収容部１２にスムーズに挿入でき、それと共にシャッター蓋２４を仮係止位置から本係止位置側へスムーズに押し込むことができる。その結果、図８（Ａ）に示すように、仮係止溝２０ｇに係止されていたシャッター蓋２４の突起２５ｃが、図８（Ｂ）に示すように本係止溝２０ｈに移動し、シャッター蓋２４がコネクタブロック２０に本係止される。このとき、図７（Ｃ）に示すように、シャッター蓋２４の空隙部２５ａとスリット２３が一致してスリット２３が開く。この状態で、コネクタブロック２０の挿入を続けると、シャッター蓋２４の空隙部２５ａとコネクタブロック２０のスリット２３を通して、縦バスバー４０が音叉状端子３０の圧接部３５に圧入され、縦バスバー４０と音叉状端子３０とが接続される。
【００２１】
上記構成とすると、コネクタブロック２０をケース１１のコネクタ収容部１２に嵌合するまでの間は、スリット２３はシャッター蓋２４の閉鎖部２５ｂで閉鎖されているため、音叉状端子３０の圧接部３５は外部に露出しない。よって、スリット２３を通して端子部３１内の圧接部３５への電線等の異物の侵入を防ぎ、音叉状端子３０の変形や破損を防止し、電気接続の信頼性を向上させることができる。
【００２２】
一方、コネクタブロック２０をコネクタ収容部１２に嵌合していくと、コネクタ収容部１２内に突設した傾斜リブ１２ａでシャッター蓋２４を押圧して自動的に所要寸法移動させているため、コネクタブロック２０の嵌合作業と同時に、コネクタブロック２０のスリット２３の閉鎖が解かれ、作業員がシャッター蓋２４を移動させる必要がない。
【００２３】
図９乃至図１１は、本発明の第２実施形態を示し、シャッター蓋をコネクタブロックに外付けしており、内付けしている前記第１実施形態と相違させている。
図１０（Ａ）に示すように、コネクタブロック２０’では、スリット２３’を設けている下側部を、シャッター蓋２４’の幅寸法分だけ段状に小さくし、その段差面に、図１０（Ｃ）に示すように係止凹部２０ｋ’を設け、シャッター蓋２４’の両側部２５’を吊り下げ状でスライド自在に保持し、コネクタブロック２０’の前後両側壁２０ｂ’の外面にシャッター蓋２４’の両側部２５’を慴接させる構成としている。
また、シャッター蓋２４’を挿入する側の図中右側壁２０ｄ’の係止凹部２０ｋ’には、図１０（Ｂ）に示すように、シャッター蓋２４’を係止する前後一対の仮係止溝２０ｇ’と本係止溝２０ｈ’を設け、仮係止溝２０ｇ’を外方側に設けると共に該仮係止溝２０ｇ’から所要間隔をあけて内方に本係止溝２０ｈ’が設けらている。
【００２４】
シャッター蓋２４’は、図１１（Ａ）（Ｂ）に示すように、第１実施形態のシャッター蓋と同様な形状で、両側部２５’と該両側部２５’の一端を連結する連結部２６’を備え、両側部２５’は下端から切り欠いた空隙部２５ａ’と閉鎖部２５ｂ’とを交互に設けた櫛歯状としている。また、両側部２５’の上端は内側に屈折させて、コネクタブロック２０’の係止凹部２０ｋ’に挿入係止する係止部２５ｄ’とし、該係止部２５ｄ’の連結部２６’近傍には内方へ突起２５ｃ’を突設している。
【００２５】
図９（Ａ）に示すように、シャッター蓋２４’の両側部２５’の係止部２５ｄ’をコネクタブロック２０’の係止凹部２０ｋ’に挿入し、突起２５ｃ’を仮係止溝２０ｇ’に仮係止すると、シャッター蓋２４’の両側部２５’がコネクタブロック２０’の両側壁２０ｂ’の外面に摺接可能に接触すると共に、閉鎖部２５ｂ’がコネクタブロック２０’のスリット２３’に対向する位置に配置されてスリット２３’を閉鎖する。一方、コネクタブロック２０’をアッパーケース１１のコネクタ収容部１２に挿入する際、コネクタ収容部１２内の傾斜リブ１２ａによりシャッター蓋２４’の連結部２６’を押圧し、突起２５ｃ’を本係止溝２０ｈ’に係止すると、図９（Ｂ）に示すように、シャッター蓋２４’の空隙部２５ａ’とスリット２３’が一致してスリット２３’が開いた状態となり、コネクタブロック２０’内の音叉状端子３０とケース内の縦バスバー４０とが嵌合される。
【００２６】
上記のように、シャッター蓋２４’をコネクタブロック２０’に外付けしても、第１実施形態と同様に、アッパーケース１１のコネクタ収容部１２に嵌合するまでの間は、シャッター蓋２４’でスリット２３’を閉鎖しているため、音叉状端子３０の圧接部への異物侵入が防止できる。
なお、他の構成および作用効果は第１実施形態と同様のため、同一の符号を付して説明を省略する。
【図面の簡単な説明】
【００２７】
【図１】（Ａ）は電気接続箱にコネクタブロックを嵌合する前の状態を示す図面である、（Ｂ）は音叉状端子と縦バスバーを嵌合させた状態を示す電気接続箱の要部拡大断面図である。
【図２】第１実施形態のコネクタブロックにシャッター蓋を仮係止した状態を示す斜視図である。
【図３】第１実施形態のコネクタブロックを示し、（Ａ）は斜視図、（Ｂ）は正面図、（Ｃ）は右側面図、（Ｄ）は底面図、（Ｅ）は要部拡大底面図である。
【図４】第１実施形態のシャッター蓋を示し、（Ａ）は斜視図、（Ｂ）は正面図、（Ｃ）は平面図である。
【図５】音叉状端子の正面図である。
【図６】上記ケースのコネクタ収容部を示し、（Ａ）は斜視図、（Ｂ）は平面図である。
【図７】（Ａ）〜（Ｄ）はコネクタブロックのコネクタ収容部への嵌合方法を示す図面である。
【図８】コネクタブロックにシャッター蓋が係止した状態を示し、（Ａ）は仮係止状態を示す図面、（Ｂ）は本係止状態を示す図面である。
【図９】第２実施形態のコネクタブロックにシャッター蓋を取り付けた状態を示し、（Ａ）は仮係止状態の斜視図、（Ｂ）は本係止状態の斜視図である。
【図１０】第２実施形態のコネクタブロックを示し、（Ａ）は斜視図、（Ｂ）は正面図、（Ｃ）は右側面図である。
【図１１】第２実施形態のシャッター蓋を示し、（Ａ）は斜視図、（Ｂ）は平面図である。
【図１２】従来例を示し、（Ａ）は音叉状端子と縦バスバーを嵌合させた状態を示す電気接続箱の要部拡大断面図、（Ｂ）はコネクタブロックの斜視図である。
【符号の説明】
【００２８】
１０  電気接続箱
１１  アッパーケース
１２  コネクタ収容部
１２ａ  傾斜リブ
１３  ロアケース
２０  コネクタブロック
２０ｇ  仮係止溝
２０ｈ  本係止溝
２２  端子収容室
２３  スリット
２４  シャッター蓋
２５  両側部
２５ａ  空隙部
２５ｂ  閉鎖部
２５ｃ  突起
２６  連結部
３０  音叉状端子
４０  縦バスバー
Ｓ  空隙
ｗ  電線
【図１】
2005080460.tif 000003
【図２】
2005080460.tif 000004
【図３】
2005080460.tif 000005
【図４】
2005080460.tif 000006
【図５】
2005080460.tif 000007
【図６】
2005080460.tif 000008
【図７】
2005080460.tif 000009
【図８】
2005080460.tif 000010
【図９】
2005080460.tif 000011
【図１０】
2005080460.tif 000012
【図１１】
2005080460.tif 000013
【図１２】
2005080460.tif 000014